(57)【要約】【課題】コネクタの耐久性を向上することができる光ディスクドライブ装置を提供する。【解決手段】光ディスクドライブ装置１１は、ケース１２、ディスクトレイ１３、第１のコネクタ２４、第２のコネクタ３８、位置決め機構１４を具備する。第１のコネクタ２４は、ケース１２に設けられる。第２のコネクタ３８は、ディスクトレイ１３に設けられ、ディスクトレイ１３が第１の位置Ｐ１にあるときに第１のコネクタ２４と導通されるとともに、ディスクトレイ１３が第２の位置Ｐ２にあるときに第１のコネクタ２４から分離される。位置決め機構１４は、ケース１２とディスクトレイ１３との間に設けられるとともに、ディスクトレイ１３が第２の位置Ｐ２から第１の位置Ｐ１に移動する際に、第１のコネクタ２４に対して第２のコネクタ３８を位置決めする。【選択図】図１
2009048698.tif 000002
【特許請求の範囲】
【請求項１】
ケースと、
前記ケースの内部に収容された第１の位置と、前記ケースから外部に突出した第２の位置との間で進退することが可能なディスクトレイと、
前記ケースに設けられた第１のプリント回路板と、
前記ディスクトレイに設けられた第２のプリント回路板と、
前記ケースに設けられるとともに、前記第１のプリント回路板に接続された第１のコネクタと、
前記ディスクトレイに設けられるとともに、前記第２のプリント回路板に接続され、前記ディスクトレイが前記第１の位置にあるときに前記第１のコネクタと導通されるとともに、前記ディスクトレイが前記第２の位置にあるときに前記第１のコネクタから分離される第２のコネクタと、
前記ケースと前記ディスクトレイとの間に設けられるとともに、前記ディスクトレイが前記第２の位置から前記第１の位置に移動する際に、前記第１のコネクタに対して前記第２のコネクタを位置決めする位置決め機構と、
を具備することを特徴とする光ディスクドライブ装置。
【請求項２】
前記位置決め機構は、
前記ディスクトレイの基部に設けられるとともに、前記第２の位置から前記第１の位置に向かう方向にいくにつれて細くなる凸部と、
前記ケースに形成され、前記凸部と相補的形状をなすとともに、前記ディスクトレイが前記第１の位置にあるときに前記凸部が差し込まれる凹部と、
を備えることを特徴とする請求項１に記載の光ディスクドライブ装置。
【請求項３】
ケースと、
前記ケースの内部に収容された第１の位置と、前記ケースから外部に突出した第２の位置との間で進退することが可能なディスクトレイと、
前記ケースの外部に設けられた第１のプリント回路板と、
前記ディスクトレイに設けられた第２のプリント回路板と、
前記ケースの内部に配置にされるとともに、前記第１のプリント回路板に接続された第１のコネクタと、
前記ディスクトレイに設けられるとともに、前記第２のプリント回路板に接続され、前記ディスクトレイが前記第１の位置にあるときに前記第１のコネクタと導通されるとともに、前記ディスクトレイが前記第２の位置にあるときに前記第１のコネクタから分離される第２のコネクタと、
前記ケースと前記ディスクトレイとの間に設けられるとともに、前記ディスクトレイが前記第２の位置から前記第１の位置に移動する際に、前記第１のコネクタに対して前記第２のコネクタを位置決めする位置決め機構と、
を具備することを特徴とする光ディスクドライブ装置。
【請求項４】
前記位置決め機構は、
前記ディスクトレイの基部に形成されるとともに、前記第２の位置から前記第１の位置に向かう方向にいくにつれて細くなる凸部と、
前記ケースに形成され、前記凸部と相補的形状をなすとともに、前記ディスクトレイが前記第１の位置にあるときに前記凸部が差し込まれる凹部と、
を備えることを特徴とする請求項３に記載の光ディスクドライブ装置。
【請求項５】
ケースと、
前記ケースの内部に収容された第１の位置と、前記ケースから外部に突出した第２の位置との間で進退することが可能なディスクトレイと、
前記ケースに設けられた第１のプリント回路板と、
前記ディスクトレイに設けられた第２のプリント回路板と、
前記ケースに設けられるとともに、前記第１のプリント回路板に接続された第１のコネクタと、
前記ディスクトレイに設けられるとともに、前記第２のプリント回路板に接続され、前記ディスクトレイが前記第１の位置にあるときに前記第１のコネクタと導通されるとともに、前記ディスクトレイが前記第２の位置にあるときに前記第１のコネクタから分離される第２のコネクタと、
前記第１のプリント回路板と、前記第２のプリント回路板とを接続するとともに、前記第１のプリント回路板から前記第２のプリント回路板に電力を供給する電力線と、
前記ケースと前記ディスクトレイとの間に設けられるとともに、前記ディスクトレイが前記第２の位置から前記第１の位置に移動する際に、前記第１のコネクタに対して前記第２のコネクタを位置決めする位置決め機構と、
を具備することを特徴とする光ディスクドライブ装置。
【請求項６】
前記位置決め機構は、
前記ディスクトレイの基部に形成されるとともに、前記第２の位置から前記第１の位置に向かう方向にいくにつれて細くなる凸部と、
前記ケースに形成され、前記凸部と相補的形状をなすとともに、前記ディスクトレイが前記第１の位置にあるときに前記凸部が差し込まれる凹部と、
を備えることを特徴とする請求項５に記載の光ディスクドライブ装置。
【発明の詳細な説明】
【技術分野】
【０００１】
本発明は、ケースとディスクトレイとをコネクタで接続した光ディスクドライブ装置に関する。
【背景技術】
【０００２】
例えば、ケースの回路基板とトレイの回路基板とを結線するためのフレキシブルプリントケーブルを省略した光ディスク装置が知られている。この光ディスク装置は、ケースと、ケースから突出したり、ケース内に収容されたりするトレイと、ケースに設けられた第１の回路基板と、トレイに設けられた第２の回路基板と、第１の回路基板と第２の回路基板との間に設けられたコネクタと、を備えている。コネクタは、第１の回路基板に接続した一方の端子と、第２の回路基板に接続した他方の端子と、を有している。
【０００３】
この光ディスク装置では、トレイがケース内に収容された状態で一方の端子と他方の端子とが接続して、第１の回路基板と第２の回路基板との間で電気的な導通が図られる。また、トレイがケースに対して突出している場合には、第１の回路基板と第２の回路基板との間で電気的な導通が断たれる。このように、この光ディスク装置では、第１の回路基板と第２の回路基板との間にコネクタを設けることで、フレキシブルプリントケーブルを設ける必要がないようにしている（例えば、特許文献１参照）。
【特許文献１】特開２００５−４４４９２号公報
【発明の開示】
【発明が解決しようとする課題】
【０００４】
しかしながら、上記従来の光ディスク装置では、コネクタを接合する際に、トレイとケースの位置決めが問題となる。しかしながら、上記従来の光ディスク装置では、トレイとケースとの間の位置決めについて何らの配慮がなされていないため、何らかの理由でトレイの設置位置がずれてしまうと、トレイを出し入れする際にコネクタに負荷がかかり、コネクタの劣化が早く進んでしまうおそれがあった。
【０００５】
本発明の目的は、コネクタの耐久性を向上することができる光ディスクドライブ装置を提供することにある。
【課題を解決するための手段】
【０００６】
前記目的を達成するため、本発明の一つの形態に係る光ディスクドライブ装置は、ケースと、ケースの内部に収容された第１の位置と、ケースから外部に突出した第２の位置との間で進退することが可能なディスクトレイと、ケースに設けられた第１のプリント回路板と、ディスクトレイに設けられた第２のプリント回路板と、ケースに設けられるとともに、第１のプリント回路板に接続された第１のコネクタと、ディスクトレイに設けられるとともに、第２のプリント回路板に接続され、ディスクトレイが第１の位置にあるときに第１のコネクタと導通されるとともに、ディスクトレイが第２の位置にあるときに第１のコネクタから分離される第２のコネクタと、ケースとディスクトレイとの間に設けられるとともに、ディスクトレイが第２の位置から第１の位置に移動する際に、第１のコネクタに対して第２のコネクタを位置決めする位置決め機構と、を具備する。
【０００７】
前記目的を達成するため、本発明の他の形態に係る光ディスクドライブ装置は、ケースと、ケースの内部に収容された第１の位置と、ケースから外部に突出した第２の位置との間で進退することが可能なディスクトレイと、ケースの外部に設けられた第１のプリント回路板と、ディスクトレイに設けられた第２のプリント回路板と、ケースの内部に配置にされるとともに、第１のプリント回路板に接続された第１のコネクタと、ディスクトレイに設けられるとともに、第２のプリント回路板に接続され、ディスクトレイが第１の位置にあるときに第１のコネクタと導通されるとともに、ディスクトレイが第２の位置にあるときに第１のコネクタから分離される第２のコネクタと、ケースとディスクトレイとの間に設けられるとともに、ディスクトレイが第２の位置から第１の位置に移動する際に、第１のコネクタに対して第２のコネクタを位置決めする位置決め機構と、を具備する。
【０００８】
前記目的を達成するため、本発明の他の形態に係る光ディスクドライブ装置は、ケースと、ケースの内部に収容された第１の位置と、ケースから外部に突出した第２の位置との間で進退することが可能なディスクトレイと、ケースに設けられた第１のプリント回路板と、ディスクトレイに設けられた第２のプリント回路板と、ケースに設けられるとともに、第１のプリント回路板に接続された第１のコネクタと、ディスクトレイに設けられるとともに、第２のプリント回路板に接続され、ディスクトレイが第１の位置にあるときに第１のコネクタと導通されるとともに、ディスクトレイが第２の位置にあるときに第１のコネクタから分離される第２のコネクタと、第１のプリント回路板と、第２のプリント回路板とを接続するとともに、第１のプリント回路板から第２のプリント回路板に電力を供給する電力線と、ケースとディスクトレイとの間に設けられるとともに、ディスクトレイが第２の位置から第１の位置に移動する際に、第１のコネクタに対して第２のコネクタを位置決めする位置決め機構と、を具備する。
【発明の効果】
【０００９】
本発明によれば、コネクタの耐久性を向上することができる光ディスクドライブ装置を提供できる。
【発明を実施するための最良の形態】
【００１０】
以下に、図１から図３を参照して、光ディスクドライブ装置の第１の実施形態について、例えば、ＤＶＤ（Digital Versatile disk）ドライブ装置に適用した場合を例に説明する。
【００１１】
図１から図３に示すように、ＤＶＤドライブ装置１１は、ケース１２と、ケース１２に対して前後方向に移動できるディスクトレイ１３と、ケース１２に対してディスクトレイ１３を位置決めするための位置決め機構１４と、を備えている。ディスクトレイ１３は、図２に示すようにケース１２の内部に収容された第１の位置Ｐ１と、図１と図３に示すようにケース１２から外部に突出した第２の位置Ｐ２と、の間で移動することができる。もっとも、ディスクトレイ１３は、図１と図３に示す状態からさらに前方に移動することができ、これに対して図示しない光ディスクを搭載したり、これから光ディスクを取り外したりできる。
【００１２】
ケース１２は、ベース部２１と、ベース部２１の周囲を覆うカバー２２と、ベース部２１に取り付けられた第１のプリント回路板２３と、第１のプリント回路板２３上に固定された第１のコネクタ２４およびメインコネクタ２５と、ディスクトレイ１３の後述するレール２７を案内するための案内溝部２６と、を有している。第１のコネクタ２４およびメインコネクタ２５は、第１のプリント回路板２３に電気的に接続されている。メインコネクタ２５は、ＤＶＤドライブ装置１１がパーソナルコンピュータに搭載された際に、パーソナルコンピュータ内のプリント回路板とＤＶＤドライブ装置１１との間で電気的な接続を確保するためのものである。第１のプリント回路板２３は、配線３２を含んでおり、配線３２は、第１のコネクタ２４とメインコネクタ２５とを接続する。
【００１３】
ディスクトレイ１３は、樹脂製のトレイ本体３３と、トレイ本体３３上に設けられるとともに、光ディスクが載置される搭載部３４と、搭載部３４の中央部に設けられたディスクモータ３５と、搭載部３４に設けられたピックアップモジュール３６と、トレイ本体３３に取り付けられた第２のプリント回路板３７と、第２のプリント回路板３７上に固定された第２のコネクタ３８と、トレイ本体３３の側部に設けられた一対のレール２７と、を有している。第２のコネクタ３８は、第２のプリント回路板３７と電気的に接続されている。
【００１４】
図２に示すように、第２のコネクタ３８は、ディスクトレイ１３が第１の位置Ｐ１にあるときに第１のコネクタ２４と接続されて、第１のコネクタ２４と電気的に導通される。また、図１と図３に示すように、第２のコネクタ３８は、ディスクトレイ１３が第２の位置Ｐ２にあるときに第１のコネクタ２４から分離される。
【００１５】
位置決め機構１４は、ケース１２とディスクトレイ１３との間に設けられている。すなわち、位置決め機構１４は、ベース部２１に取り付けられた凹部４１と、ディスクトレイ１３のトレイ本体３３の基部に設けられた凸部４２と、を有している。
【００１６】
図１に示すように、凸部４２は、上方から見て台形状に形成されている。凸部４２は、左右一対の第１のスライド部４２Ａを有し、第１のスライド部４２Ａは、ディスクトレイ１３の前進・後退する方向に対して斜めになっている。図３に示すように、凸部４２は、側方から見て、台形状に形成されている。凸部４２は、上下一対の第２のスライド部４２Ｂを有し、第２のスライド部４２Ｂは、ディスクトレイ１３の前進・後退する方向に対して斜めになっている。すなわち、凸部４２の全体形状は、第２の位置Ｐ２から第１の位置Ｐ１に向かう方向にいくにつれて細くなっている。この凸部４２の内部に、第２のコネクタ３８の基部が埋め込まれている。
【００１７】
図１に示すように、凹部４１は、上方から見てディスクトレイ１３の方向に拡開した断面形状を有している。凹部４１は、左右一対の第１のガイド部４１Ａを有しており、第１のガイド部４１Ａは、ディスクトレイ１３の前進・後退する方向に対して斜めになっている。図３に示すように、凹部４１は、側方から見てディスクトレイ１３の方向に拡開した断面形状を有している。凹部４１は、上下一対の第２のガイド部４１Ｂを有しており、第２のガイド部４１Ｂは、ディスクトレイ１３の前進・後退する方向に対して斜めになっている。つまり、凹部４１は、第１の位置Ｐ１から第２の位置Ｐ２に向かう方向にいくにつれて拡開しており、凸部４２と相補的形状をなしている。図２に示すように、ディスクトレイ１３が第１の位置Ｐ１にあるときには、凹部４１に凸部４２が差し込まれる。凹部４１の底部に対応する箇所に、第１のコネクタ２４が配置されている。
【００１８】
続いて、ディスクトレイ１３が第２の位置Ｐ２から第１の位置Ｐ１に後退する際の位置決め機構１４の作用について、例えばディスクトレイ１３の位置が右側下方に偏っている場合を例に説明する。ディスクトレイ１３が第２の位置Ｐ２から第１の位置Ｐ１に移動すると、凸部４２の右側の第１のスライド部４２Ａは、凹部４１の右側の第１のガイド部４１Ａに接触する。同様に、凸部４２の下方にある第２のスライド部４２Ｂは、凹部４１の下方にある第２のガイド部４１Ｂに接触する。そして、ディスクトレイ１３がさらに後退すると、ディスクトレイ１３は第１のガイド部４１Ａおよび第２のガイド部４１Ｂによって望ましい位置に案内される。こうして、図２に示すように、第１のコネクタ２４に対して第２のコネクタ３８が精度よく位置決めされ、第１のコネクタ２４と第２のコネクタ３８とが正しく接続される。これによって、第１のコネクタ２４と第２のコネクタ３８とが導通された状態になる。なお、ディスクトレイ１３の位置が他の方向に偏っている場合も、第１のガイド部４１Ａと第２のガイド部４１Ｂとの作用で、ディスクトレイ１３が正しい位置に案内されることは同様である。
【００１９】
以上が、光ディスクドライブ装置の第１の実施形態である。第１の実施形態によれば、ＤＶＤドライブ装置１１は、ケース１２と、ケース１２の内部に収容された第１の位置Ｐ１と、ケース１２から外部に突出した第２の位置Ｐ２との間で進退することが可能なディスクトレイ１３と、ケース１２に設けられた第１のプリント回路板２３と、ディスクトレイ１３に設けられた第２のプリント回路板３７と、ケース１２に設けられるとともに、第１のプリント回路板２３に接続された第１のコネクタ２４と、ディスクトレイ１３に設けられるとともに、第２のプリント回路板３７に接続され、ディスクトレイ１３が第１の位置Ｐ１にあるときに第１のコネクタ２４と導通されるとともに、ディスクトレイ１３が第２の位置Ｐ２にあるときに第１のコネクタ２４から分離される第２のコネクタ３８と、ケース１２とディスクトレイ１３との間に設けられるとともに、ディスクトレイ１３が第２の位置Ｐ２から第１の位置Ｐ１に移動する際に、第１のコネクタ２４に対して第２のコネクタ３８を位置決めする位置決め機構１４と、を具備する。
【００２０】
この構成によれば、ディスクトレイ１３とケース１２との間にフレキシブルプリントケーブルを設ける必要がないので、配線の長さを短くすることができる。これにより、例えばシリアルＡＴＡ、シリアルＡＴＡIIのような高速でデータの転送を行う場合であっても、フレキシブルプリントケーブルから不要輻射となる電磁波が発生することを防止することができる。また、フレキシブルプリントケーブルが不要であることから、外部からのノイズの影響を受けることを極力少なくすることができる。さらに、近年では、光ディスクドライブ装置に用いられる伝送規格が高速伝送路であるシリアルＡＴＡとなっており、伝送配線にも厳しいスペックが要求されるようになっている。本実施形態のように、ケース１２とディスクトレイ１３とをコネクタで接合するようにすれば、シリアルＡＴＡの規格を満たす伝送特性を容易に得ることができる。
【００２１】
また、フレキシブルプリントケーブルが不要であるので、ディスクトレイ１３をケース１２に対して着脱可能（リムーバブル）に構成することができる。これにより、ディスクトレイ１３を交換するだけで、故障時の交換や、上位機種へのアップグレード等を容易に行うことができる。アップグレードとしては、例えば、ＤＶＤ−ＲＯＭから大容量のＨＤ−ＤＶＤ（High Definition Digital Versatile disk）に変更することが可能である。
【００２２】
また、第１のコネクタ２４に第２のコネクタ３８を精度よく位置決めすることができるため、第２のコネクタ３８がずれた状態で第１のコネクタ２４に挿入されることがなく、第１のコネクタ２４および第２のコネクタ３８の耐久性を向上することができる。
【００２３】
この場合、位置決め機構１４は、ディスクトレイ１３の基部に設けられるとともに、第２の位置Ｐ２から第１の位置Ｐ１に向かう方向にいくにつれて細くなる凸部４２と、ケース１２に形成され、凸部４２と相補的形状をなすとともに、ディスクトレイ１３が第２の位置Ｐ２から第１の位置Ｐ１に移動する際に凸部４２が差し込まれる凹部４１と、を備える。この構成によれば、高精度な位置決め機構１４を簡単な構成で実現することができる。
【００２４】
続いて、図４から図６を参照して、光ディスクドライブ装置の第２の実施形態について、ＤＶＤ（Digital Versatile disk）ドライブ装置に適用した場合を例に説明する。第２の実施形態のＤＶＤドライブ装置５１は、第１のプリント回路板５２の配置および第１のコネクタ５３の形状が第１の実施形態と異なっているが、他の部分は共通している。このため、主として第１の実施形態と異なる部分について説明し、第１の実施形態と共通する箇所については共通の符号を付して説明を省略する。
【００２５】
第２の実施形態にかかるＤＶＤドライブ装置５１は、パーソナルコンピュータの筐体の内部に搭載されている。図４に示すように、ＤＶＤドライブ装置５１は、ケース１２と、ケース１２に対して前後方向に移動できるディスクトレイ１３と、ケース１２に対してディスクトレイ１３を位置決めするための位置決め機構１４と、を備えている。ディスクトレイ１３は、図５に示すようにケース１２の内部に収容された第１の位置Ｐ１と、図４と図６に示すようにケース１２から外部に突出した第２の位置Ｐ２と、の間で移動することができる。
【００２６】
一方、パーソナルコンピュータは、その筐体の内部で、ＤＶＤドライブ装置５１のケース１２の外部に、第１のプリント回路板５２を有している。第１のプリント回路板５２は、ＣＰＵ等を実装しており、パーソナルコンピュータのいわゆるメイン基板をなしている。第１のプリント回路板５２上には、ディスクトレイ１３に接続するための第１のコネクタ５３が実装されている。なお、本発明にいうＤＶＤドライブ装置５１は、第１のプリント回路板５２と、第１のコネクタ５３とを含んだ概念である。
【００２７】
ケース１２は、ベース部２１と、ベース部２１の周囲を覆うカバー２２と、ディスクトレイ１３の後述するレール２７を案内するための案内溝部２６と、を有している。ベース部２１は、前記第１のコネクタ５３を通すための開口部５４を有している。第１のコネクタ５３は、開口部５４を貫通しており、第２のコネクタ３８と接続するための接続部がケース１２の内部に配置されている。
【００２８】
ディスクトレイ１３は、第１の実施形態と同形態に形成されている。ディスクトレイ１３は、トレイ本体３３に取り付けられた第２のプリント回路板３７と、第２のプリント回路板３７上に固定された第２のコネクタ３８と、を有している。第２のコネクタ３８は、第２のプリント回路板３７と電気的に接続されている。
【００２９】
図５に示すように、第２のコネクタ３８は、ディスクトレイ１３が第１の位置Ｐ１にあるときに第１のコネクタ５３と接続されて、第１のコネクタ５３と電気的に導通される。また、図４と図６に示すように、第２のコネクタ３８は、ディスクトレイ１３が第２の位置Ｐ２にあるときに第１のコネクタ５３から分離される。
【００３０】
位置決め機構１４は、ケース１２とディスクトレイ１３との間に設けられている。すなわち、位置決め機構１４は、ベース部２１に取り付けられた凹部４１と、ディスクトレイ１３のトレイ本体３３の基部に設けられた凸部４２と、を有している。
【００３１】
図４と図６に示すように、凸部４２および凹部４１は、第１の実施形態のものと同形態に形成されている。
【００３２】
ディスクトレイ１３が第２の位置Ｐ２から第１の位置Ｐ１に移動すると、凸部４２の左右に位置する第１のスライド部４２Ａは、凹部４１の左右に位置する第１のガイド部４１Ａに接触する。同様に、凸部４２の上下にある第２のスライド部４２Ｂは、凹部４１の上下にある第２のガイド部４１Ｂに接触する。そして、ディスクトレイ１３がさらに後退すると、ディスクトレイ１３は第１のガイド部４１Ａおよび第２のガイド部４１Ｂによって望ましい位置に案内される。こうして、第１のコネクタ５３に対して第２のコネクタ３８が精度よく位置決めされ、第１のコネクタ５３と第２のコネクタ３８とが正しく接続される。
【００３３】
第２の実施形態によれば、ＤＶＤドライブ装置５１は、ケース１２と、ケース１２の内部に収容された第１の位置Ｐ１と、ケース１２から外部に突出した第２の位置Ｐ２との間で進退することが可能なディスクトレイ１３と、ケース１２の外部に設けられた第１のプリント回路板５２と、ディスクトレイ１３に設けられた第２のプリント回路板３７と、ケース１２の内部に配置にされるとともに、第１のプリント回路板５２に接続された第１のコネクタ５３と、ディスクトレイ１３に設けられるとともに、第２のプリント回路板３７に接続され、ディスクトレイ１３が第１の位置Ｐ１にあるときに第１のコネクタ５３と導通されるとともに、ディスクトレイ１３が第２の位置Ｐ２にあるときに第１のコネクタ５３から分離される第２のコネクタ３８と、ケース１２とディスクトレイ１３との間に設けられるとともに、ディスクトレイ１３が第２の位置Ｐ２から第１の位置Ｐ１に移動する際に、第１のコネクタ５３に対して第２のコネクタ３８を位置決めする位置決め機構１４と、を具備する。
【００３４】
この構成によれば、パーソナルコンピュータのメイン基板である第１のプリント回路板５２と、ディスクトレイ１３の第２のプリント回路板３７と、を第１のコネクタ５３および第２のコネクタ３８を介して直接接続することができる。これにより、第１の実施形態のように、ケース１２にメインコネクタ２５を設ける必要がなく、構造を簡略化するとともに、信号の伝送効率を向上することができる。
【００３５】
この場合、位置決め機構１４は、ディスクトレイ１３の基部に設けられるとともに、第２の位置Ｐ２から第１の位置Ｐ１に向かう方向にいくにつれて細くなる凸部４２と、ケース１２に形成され、凸部４２と相補的形状をなすとともに、ディスクトレイ１３が第２の位置Ｐ２から第１の位置Ｐ１に移動する際に凸部４２が差し込まれる凹部４１と、を備える。この構成によれば、高精度な位置決め機構を簡単な構成で実現できる。
【００３６】
続いて、図７から図９を参照して、光ディスクドライブ装置の第３の実施形態について、ＤＶＤ（Digital Versatile disk）ドライブ装置に適用した場合を例に説明する。第３の実施形態のＤＶＤドライブ装置６１は、フレキシブルプリントケーブル６２を用いている点で第１の実施形態と異なっているが、他の部分は共通している。このため、主として第１の実施形態と異なる部分について説明し、第１の実施形態と共通する箇所については共通の符号を付して説明を省略する。
【００３７】
図７に示すように、ＤＶＤドライブ装置６１は、ケース１２と、ケース１２に対して前後に移動できるディスクトレイ１３と、ケース１２に対してディスクトレイ１３を位置決めするための位置決め機構１４と、を備えている。ディスクトレイ１３は、図８に示すようにケース１２の内部に収容された第１の位置Ｐ１と、図７と図９に示すようにケース１２から外部に突出した第２の位置Ｐ２と、の間で移動することができる。
【００３８】
ケース１２は、ベース部２１と、ベース部２１の周囲を覆うカバー２２と、ベース部２１に取り付けられた第１のプリント回路板２３と、第１のプリント回路板２３上に固定された第１のコネクタ２４およびメインコネクタ２５と、ディスクトレイ１３の後述するレール２７を案内するための案内溝部２６と、を有している。第１のコネクタ２４は、第１のプリント回路板２３に電気的に接続されている。第１のコネクタ２４は、高速の信号をやり取りするための複数のピンを有している。
【００３９】
ディスクトレイ１３は、樹脂製のトレイ本体３３と、トレイ本体３３上に設けられるとともに、光ディスクが載置される搭載部３４と、搭載部３４の中央部に設けられたディスクモータ３５と、搭載部３４に設けられたピックアップモジュール３６と、トレイ本体３３に取り付けられた第２のプリント回路板３７と、第２のプリント回路板３７上に固定された第２のコネクタ３８と、トレイ本体３３の側部に設けられた一対のレール２７と、を有している。第２のコネクタ３８は、第２のプリント回路板３７と電気的に接続されている。第２のコネクタ３８は、高速の信号をやり取りするための複数のピンを有している。
【００４０】
図８に示すように、第２のコネクタ３８は、ディスクトレイ１３が第１の位置Ｐ１にあるときに第１のコネクタ２４と接続されて、第１のコネクタ２４と電気的に導通される。また、図７と図９に示すように、第２のコネクタ３８は、ディスクトレイ１３が第２の位置Ｐ２にあるときに第１のコネクタ２４から分離される。
【００４１】
ＤＶＤドライブ装置６１は、ケース１２の第１のプリント回路板２３とディスクトレイ１３の第２のプリント回路板３７とを接続する電力線であるフレキシブルプリントケーブル６２をさらに備えている。フレキシブルプリントケーブル６２は、第１のプリント回路板２３から第２のプリント回路板３７に電力を供給することができる。第２のプリント回路板３７に供給された電力は、さらに、ディスクモータ３５とピックアップモジュール３６とに供給される。本実施形態のＤＶＤドライブ装置６１では、高速の信号は第１のコネクタ２４および第２のコネクタ３８を介して伝送され、電力は、フレキシブルプリントケーブル６２を介して伝達される。
【００４２】
位置決め機構１４は、ケース１２とディスクトレイ１３との間に設けられている。位置決め機構１４は、ベース部２１に取り付けられた凹部４１と、ディスクトレイ１３のトレイ本体３３の基部に設けられた凸部４２と、を有している。図７と図９に示すように、凸部４２および凹部４１は、第１の実施形態のものと同形態に形成されている。
【００４３】
ディスクトレイ１３が第２の位置Ｐ２から第１の位置Ｐ１に移動すると、凸部４２の左右に位置する第１のスライド部４２Ａは、凹部４１の左右に位置する第１のガイド部４１Ａに接触する。同様に、凸部４２の上下にある第２のスライド部４２Ｂは、凹部４１の上下にある第２のガイド部４１Ｂに接触する。そして、ディスクトレイ１３がさらに後退すると、ディスクトレイ１３は第１のガイド部４１Ａおよび第２のガイド部４１Ｂによって望ましい位置に案内される。こうして、第１のコネクタ２４に対して第２のコネクタ３８が精度よく位置決めされ、第１のコネクタ２４と第２のコネクタ３８とが正しく接続される。
【００４４】
第３の実施形態によれば、ＤＶＤドライブ装置６１は、ケース１２と、ケース１２の内部に収容された第１の位置Ｐ１と、ケース１２から外部に突出した第２の位置Ｐ２との間で進退することが可能なディスクトレイ１３と、ケース１２に設けられた第１のプリント回路板２３と、ディスクトレイ１３に設けられた第２のプリント回路板３７と、ケース１２に設けられるとともに、第１のプリント回路板２３に接続された第１のコネクタ２４と、ディスクトレイ１３に設けられるとともに、第２のプリント回路板３７に接続され、ディスクトレイ１３が第１の位置Ｐ１にあるときに第１のコネクタ２４と導通されるとともに、ディスクトレイ１３が第２の位置Ｐ２にあるときに第１のコネクタ２４から分離される第２のコネクタ３８と、第１のプリント回路板２３と、第２のプリント回路板３７とを接続するとともに、第１のプリント回路板２３から第２のプリント回路板３７に電力を供給する電力線であるフレキシブルプリントケーブル６２と、ケース１２とディスクトレイ１３との間に設けられるとともに、ディスクトレイ１３が第２の位置Ｐ２から第１の位置Ｐ１に移動する際に、第２のコネクタ３８に対して第１のコネクタ２４を位置決めする位置決め機構１４と、を具備する。
【００４５】
この構成によれば、高速の信号をやり取りする信号線のみを第１のコネクタ２４と第２のコネクタ３８に配置することができる。これにより、フレキシブルプリントケーブル６２から照射される不要輻射の電磁波を低減するとともに、外部からのノイズの影響を低減することができる。一方、電力線に関しては、もともと太い配線で形成することが一般的であるので、フレキシブルプリントケーブル６２から照射される不要輻射の量は少ないものになっている。
【００４６】
また、通常、電力線をコネクタに形成する際には、加熱による破損を防止する観点から、複数のピンを電力線として使用される。上記構成によれば、第１のコネクタ２４および第２のコネクタ３８に用いられるピン数を低減することができ、第１のコネクタ２４と第２のコネクタ３８とを抜き差しする際に、ディスクトレイ１３にかかる負荷を低減することができる。また、コネクタのピン数を低減できれば、コネクタの製造コスト低減することができる。
【００４７】
なお、本実施形態では、電力線をフレキシブルプリントケーブル６２で構成するようにしているが、これに限定されるものではない。すなわち、第１のプリント回路板２３から第２のプリント回路板３７への給電は、一対のレール２７および案内溝部２６を介して行うようにしてもよい。このようにすれば、フレキシブルプリントケーブル６２を用いる必要がなく、ディスクトレイ１３をケース１２に対して着脱可能（リムーバブル）に構成することができる。
【００４８】
この場合、位置決め機構１４は、ディスクトレイ１３の基部に設けられるとともに、第２の位置Ｐ２から第１の位置Ｐ１に向かう方向にいくにつれて細くなる凸部４２と、ケース１２に形成され、凸部４２と相補的形状をなすとともに、ディスクトレイ１３が第２の位置Ｐ２から第１の位置Ｐ１に移動する際に凸部４２が差し込まれる凹部４１と、を備える。この構成によれば、高精度な位置決め機構１４を簡単な構成で実現することができる。
【００４９】
本発明の光ディスクドライブ装置は、ＤＶＤドライブ装置１１、５１、６１用に限らず、例えばＣＤ（Compact Disk）ドライブ装置のようなその他の電子機器に対しても実施可能である。その他、光ディスクドライブ装置は、発明の要旨を逸脱しない範囲で種々変形して実施できることは勿論である。
【図面の簡単な説明】
【００５０】
【図１】第１の実施形態に係るＤＶＤドライブ装置の横方向に沿った断面図。
【図２】図１に示すＤＶＤドライブ装置のディスクトレイが第１の位置にある状態を示す断面図。
【図３】図１に示すＤＶＤドライブ装置の縦方向に沿った断面図。
【図４】第２の実施形態に係るＤＶＤドライブ装置の横方向に沿った断面図。
【図５】図４に示すＤＶＤドライブ装置のディスクトレイが第１の位置にある状態を示す断面図。
【図６】図４に示すＤＶＤドライブ装置の縦方向に沿った断面図。
【図７】第３の実施形態に係るＤＶＤドライブ装置の横方向に沿った断面図。
【図８】図７に示すＤＶＤドライブ装置のディスクトレイが第１の位置にある状態を示す断面図。
【図９】図７に示すＤＶＤドライブ装置の縦方向に沿った断面図。
【符号の説明】
【００５１】
１１…ＤＶＤドライブ装置、１２…ケース、１３…ディスクトレイ、１４…位置決め機構、２３…第１のプリント回路板、２４…第１のコネクタ、３７…第２のプリント回路板、３８…第２のコネクタ、４１…凹部、４１Ａ…第１のガイド部、４１Ｂ…第２のガイド部、４２…凸部、５１…ＤＶＤドライブ装置、５２…第１のプリント回路板、５３…第１のコネクタ、６１…ＤＶＤドライブ装置、６２…フレキシブルプリントケーブル、Ｐ１…第１の位置、Ｐ２…第２の位置
【図１】
2009048698.tif 000003
【図２】
2009048698.tif 000004
【図３】
2009048698.tif 000005
【図４】
2009048698.tif 000006
【図５】
2009048698.tif 000007
【図６】
2009048698.tif 000008
【図７】
2009048698.tif 000009
【図８】
2009048698.tif 000010
【図９】
2009048698.tif 000011